(57)【要約】      （修正有）【課題】家庭内の停電時にも照明を実現して物を収納でき、夜間の走行中に故障が起きた時でも照らすことができ、さらに野外キャンプでも収納と照明という２つの機能を実現できる照明機能付き収納袋を提供する。【解決手段】上蓋７と、ライトボード１０と、シースルー袋本体１２と、を備えた照明機能付き収納袋であって、上蓋内に電池６が着脱可能に取付けられ、上蓋の両側に紐が取り付けられ、上蓋の外側に第１中蓋８及び第２中蓋９が移動可能に取り付けられ、上蓋の底部に下蓋１１が固定的に取り付けられ、下蓋と上蓋との間にライトボードが固定的に取り付けられ、ライトボードの下側にシースルー袋本体が設けられ、シースルー袋本体の一端が第１中蓋及び第２中蓋に固定的に取り付けられ、シースルー袋本体の下部にシースルー袋底部１３が固定的に取り付けられ、シースルー袋底部の下部にベース部１４が固定的に取付けられる。【選択図】図１
0003230626.tif 000002
【実用新案登録請求の範囲】
【請求項１】
上蓋（７）と、ライトボード（１０）と、シースルー袋本体（１２）と、を備えた照明機能付き収納袋であって、前記上蓋（７）内に電池（６）が着脱可能に取付けられ、前記上蓋（７）の両側に紐（１）が取り付けられ、前記上蓋（７）の外側に第１中蓋（８）及び第２中蓋（９）が移動可能に取り付けられ、前記上蓋（７）の底部に下蓋（１１）が固定的に取り付けられ、前記下蓋（１１）と前記上蓋（７）との間に前記ライトボード（１０）が固定的に取り付けられ、前記ライトボード（１０）の下側にシースルー袋本体（１２）が設けられ、前記シースルー袋本体（１２）の一端が第１中蓋（８）及び第２中蓋（９）に固定的に取り付けられ、前記シースルー袋本体（１２）の下部にシースルー袋底部（１３）が固定的に取り付けられ、前記シースルー袋底部（１３）の下部にベース部（１４）が固定的に取付けられることを特徴とする、照明機能付き収納袋。
【請求項２】
前記上蓋（７）の両側に丸穴が左右対称に設けられ、前記紐（１）の両端が各々一対の前記丸穴内に接続されていることを特徴とする、請求項１に記載の照明機能付き収納袋。
【請求項３】
前記上蓋（７）の内部に電池収容凹部が設けられ、前記電池収容凹部の両端に各々正極接点（４）及び負極接点（５）が設けられ、前記電池（６）は電池収容凹部内に取り付けられ、前記電池収容凹部の外側に電池蓋（２）が設けられ、前記上蓋（７）の上端面の一側にボタン（３）が設けられることを特徴とする、請求項２に記載の照明機能付き収納袋。
【請求項４】
前記上蓋（７）の上端面の両側に一対の指穴が左右対称に設けられ、前記上蓋（７）の下側の外周が前記第１中蓋（８）と係着することを特徴とする、請求項３に記載の照明機能付き収納袋。
【請求項５】
前記ライトボード（１０）内に複数のランプビーズが設けられ、前記下蓋（１１）内に複数のランプビーズ拡張スロットが設けられ、複数の前記ランプビーズが各々複数の前記ランプビーズ拡張スロット内に取付けられることを特徴とする、請求項１に記載の照明機能付き収納袋。
【請求項６】
前記シースルー袋本体（１２）の上端は、前記第１中蓋（８）及び前記第２中蓋（９）と電圧ボンディングで接続されていることを特徴とする、請求項１に記載の照明機能付き収納袋。
【考案の詳細な説明】
【技術分野】
【０００１】
本考案は、収納袋技術分野に関し、特に、照明機能付き収納袋に関する。
【背景技術】
【０００２】
生活の中でおもちゃや服、バッグなど物があちこちに散乱されることが常に多く、スペースが占有されたり、空間に乱雑を見えたり、生活に不便さをもたらしてきた。収納袋は、様々なおもちゃ、衣服、バッグなどの物を効果的に収納できる非常に実用的な用具であり、これにより占有スペースが減り、空間を整然と保つことができる。
【０００３】
従来の収納袋は、物を収納する働きしかなく、単一機能で、特に野外キャンプでは収納袋がキャンプ用品の収納役割において、様々な用品の整理に良い収納役割を果たしているが、単純な収納機能では収納袋に対する既存の多機能ニーズを満たすことができなくなってきた。
【考案の概要】
【考案が解決しようとする課題】
【０００４】
それ故に、本考案は、上記背景技術に言及されている課題を解決するための照明機能付き収納袋を提供することを目的とする。
【課題を解決するための手段】
【０００５】
本考案では、上記目的を達成するため、次の技術的手段を講じた。
上蓋と、ライトボードと、シースルー袋本体と、を備えた照明機能付き収納袋であって、前記上蓋内に電池が着脱可能に取付けられ、前記上蓋の両側に紐が取り付けられ、前記上蓋の外側に第１中蓋及び第２中蓋が移動可能に取り付けられ、前記上蓋の底部に下蓋が固定的に取り付けられ、前記下蓋と上蓋との間にライトボードが固定的に取り付けられ、前記ライトボードの下側にシースルー袋本体が設けられ、前記シースルー袋本体の一端が第１中蓋及び第２中蓋に固定的に取り付けられ、前記シースルー袋本体の下部にシースルー袋底部が固定的に取り付けられ、前記シースルー袋底部の下部にベース部が固定的に取付けられる。
【０００６】
本考案のさらなる解決手段として、前記上蓋の両側に丸穴が左右対称に設けられ、前記紐の両端が各々一対の丸穴内に接続されている。
【０００７】
本考案のさらなる解決手段として、前記上蓋の内部に電池収容凹部が設けられ、前記電池収容凹部の両端に各々正極接点及び負極接点が設けられ、前記電池は電池収容凹部内に取り付けられ、前記電池収容凹部の外側に電池蓋が設けられ、前記上蓋の上端面の一側にボタンが設けられる。
【０００８】
本考案のさらなる解決手段として、前記上蓋の上端面の両側に一対の指穴が左右対称に設けられ、前記上蓋の下側の外周が第１中蓋と係着する。
【０００９】
本考案のさらなる解決手段として、前記ライトボード内に複数のランプビーズが設けられ、前記下蓋内に複数のランプビーズ拡張スロットが設けられ、複数の前記ランプビーズが各々複数のランプビーズ拡張スロット内に取付けられる。
【００１０】
本考案のさらなる解決手段として、前記シースルー袋本体の上端は、第１中蓋及び第２中蓋と電圧ボンディングで接続されている。
【考案の効果】
【００１１】
従来技術と比較して、本考案は、次の有利な効果を奏する。
本考案は、収納と照明という２つの機能を同時に実現でき、家庭内の停電時にも照明の機能を実現したり、車内に置いて物を収納したり、夜間の走行中に故障が起きた時でも夜を照らしたりすることができ、さらに野外キャンプでも収納と照明という２つの機能を実現でき、キャンプ愛好家に非常に大きな利便性を提供する。
【図面の簡単な説明】
【００１２】
【図１】照明機能付き収納袋の構造分解図である。
【考案を実施するための形態】
【００１３】
本考案の説明において、用語「上」、「下」、「頂」、「底」、「内」、「外」などが示した方位又は位置関係は、図面に基づいて示した方位又は位置関係であり、単に本考案を簡単に説明しやすくするためであり、示された装置又は部材が必ず特定の方位を有し、又は特定の方位で構成され操作することと指示又は示唆するものではないので、本考案に対する限定と理解してはいけない。
【００１４】
なお、用語「第１」、「第２」は単に目的を描写するのに使われており、比較的な重要性を指示又は示唆する、或いは示された技術的特徴の数をそれとなく明示すると理解してはいけない。そこで、「第１」、「第２」が限定されている特徴は１つ又はもっと多くのこの特徴を含むことを明示又はほのめかすものである。更に、本考案において、特に説明される場合を除く、「複数」とは２つ以上のことを意味する。
【００１５】
特段の規定及び限定がない限り、本考案に用いられている用語「取り付けられた」、「結合された」、「接続された」、「固定された」などは、広義に解釈すべきであり、例えば固結、取り外し可能に接続され、または一体となり；機械的な接続または電気的な接続であり得；直接的に結合または中間要素を介して間接的に結合してもよく、２つの要素内部の連通あるいは２つの要素の相互作用関係であり得る。当業者にとって、具体的状況に応じて本考案における上記用語の具体的な意味を理解することができる。
【００１６】
以下、具体的実施形態を組み合わせて本考案の技術的手段を詳細に説明する。
【実施例１】
【００１７】
図１を参照すると、上蓋７と、ライトボード１０と、シースルー袋本体１２と、を備えた照明機能付き収納袋であって、前記上蓋７内に電池６が着脱可能に取付けられ、前記上蓋７の両側に紐１が取り付けられ、前記上蓋７の外側に第１中蓋８及び第２中蓋９が移動可能に取り付けられ、前記上蓋７の底部に下蓋１１が固定的に取り付けられ、前記下蓋１１と上蓋７との間にライトボード１０が固定的に取り付けられ、前記ライトボード１０の下側にシースルー袋本体１２が設けられ、前記シースルー袋本体１２の一端が第１中蓋８及び第２中蓋９に固定的に取り付けられ、前記シースルー袋本体１２の下部にシースルー袋底部１３が固定的に取り付けられ、前記シースルー袋底部１３の下部にベース部１４が固定的に取付けられる。
【００１８】
前記ライトボード１０内に１０個のランプビーズが設けられ、前記下蓋１１内に１０個のランプビーズ拡張スロットが設けられ、１０個のランプビーズは、各々１０個のランプビーズ拡張スロット内に取付けられる。
【００１９】
実施例１の動作原理：通常使用する時、第１中蓋８と第２中蓋９を介してシースルー袋本体１２を取り外し・取り付けることで、シースルー袋本体１２内に物を収納して、収納袋として物を収納する機能を実現し、停電またはキャンプの時、紐１で収納袋を吊り下げられ、ライトボード１０内のランプビーズを発光させ、ランプビーズ拡張スロットを経由して、シースルー袋本体１２内に光を拡散させ、光がシースルー袋本体１２及びシースルー袋底部１３を通過して拡散させて周囲を照らす。
【実施例２】
【００２０】
図１を参照すると、照明機能付き収納袋であって、実施例１をベースにし、前記上蓋７の両側に丸穴が左右対称に設けられ、紐１の両端が各々一対の丸穴内に接続され、紐１は収納袋の吊り下げと手持ちでの使用に便利である。前記上蓋７の内部に電池収容凹部が設けられ、前記電池収容凹部の両端に各々正極接点４及び負極接点５が設けられ、前記電池６は電池収容凹部内に取り付けられ、前記電池収容凹部の外側に電池蓋２が設けられる。単３形電池を電池収容凹部内に取付けられることで電力を供給し、コストが低廉である。前記上蓋7の上端面の一側にボタン３が設けられ、ボタン３がライトのオンオフを切り替えるために用いられ、前記上蓋７の上端面の両側に一対の指穴が左右対称に設けられ、使用者の指を指穴に入れて上蓋７をねじるのに便利である。前記上蓋７の下側の外周が第１中蓋８と係着し、前記シースルー袋本体１２の上端は、第１中蓋８及び第２中蓋９と電圧ボンディングで接続されている。
【００２１】
上記の説明は、本考案の好ましい実施例に過ぎず、本考案を限定することを意図するものではない。本考案の精神及び原則を脱しない範囲において種々の修正、均等物の置換、改良などをなし得ることは、本考案の保護範囲内に含めるものである。クレーム内の図面符号は、関連するクレームを限定するものと見なされるべきではない。
【００２２】
なお、本明細書は、実施形態に従って描写されているが、各実施形態に１つの独立した技術的手段のみが含まれているわけではなく、明細書のこのような記述方法が明確にするためだけのものであり、当業者は明細書を一体として扱われ、各実施例における技術的手段がまた、適切に組み合わされることで当業者に理解され得る他の実施形態を形成することができることに理解すべきである。
【符号の説明】
【００２３】
１０  ライトボード
１  紐
１１  下蓋
１２  シースルー袋本体
１３  シースルー袋底部
１４  ベース部
２  電池蓋
３  ボタン
４  正極接点
５  負極接点
６  電源
７  上蓋
８  第１中蓋
９  第２中蓋
【図１】
0003230626.tif 000003